(57)【要約】【課題】  水質分析装置によるサンプリング水の水質の分析精度を向上させることができ、また、微生物が水質分析装置内で繁殖してこの水質分析装置が異常停止してしまうというトラブルを防止することができる水質監視システムおよび水質監視方法を提供すること。【解決手段】  水質監視システムは、サンプリング水を予め前処理する前処理装置２と、前処理されたサンプリング水の水質の分析を行う水質分析装置３と、サンプリング水の殺菌を行う殺菌装置１０とを備えている。殺菌装置１０は、前処理装置２と水質分析装置３との間におけるサンプリング水、または水質分析装置３内のサンプリング水の殺菌を行う。また、水質監視方法は、サンプリング水を予め前処理する前処理工程と、前処理されたサンプリング水の水質の分析を行う水質分析工程と、前処理工程後であって水質分析工程前のサンプリング水の殺菌を行う殺菌工程とを備えている。【選択図】  図１
2006317245.tif 000002
【特許請求の範囲】
【請求項１】
サンプリング水を予め前処理する前処理装置と、
前記前処理装置の下流側に配置され、当該前処理装置によって前処理されたサンプリング水の水質の分析を行う水質分析装置と、
前記前処理装置と前記水質分析装置との間におけるサンプリング水、または前記水質分析装置内のサンプリング水の殺菌を行う殺菌装置と、
を備えたことを特徴とする水質監視システム。
【請求項２】
前記前処理装置と前記水質分析装置との間に設けられ、前記前処理装置からサンプリング水を前記水質分析装置に送る接続管を更に備え、
前記殺菌装置は前記接続管の内部に配置され、この殺菌装置は当該接続管内のサンプリング水の殺菌を行うことを特徴とする請求項１記載の水質監視システム。
【請求項３】
前記前処理装置と前記水質分析装置との間に設けられ、前記前処理装置からサンプリング水を前記水質分析装置に送る接続管を更に備え、
前記殺菌装置は前記接続管の外部に配置され、この殺菌装置は当該接続管内のサンプリング水の殺菌を行うことを特徴とする請求項１記載の水質監視システム。
【請求項４】
前記殺菌装置は、サンプリング水に紫外線を照射する紫外線ランプを有することを特徴とする請求項１乃至３のいずれか一項に記載の水質監視システム。
【請求項５】
前記殺菌装置は、サンプリング水に超音波を照射する超音波発生器を有することを特徴とする請求項１または２に記載の水質監視システム。
【請求項６】
前記殺菌装置は、サンプリング水に光触媒を接触させる光触媒殺菌装置を有することを特徴とする請求項１または２に記載の水質監視システム。
【請求項７】
前記水質分析装置により分析されたサンプリング水の水質の分析結果に基づいて前記殺菌装置の運転を制御する制御装置を更に備えたことを特徴とする請求項１乃至６のいずれか一項に記載の水質監視システム。
【請求項８】
サンプリング水を予め前処理する前処理工程と、
前記前処理工程において前処理されたサンプリング水の水質の分析を行う水質分析工程と、
前記前処理工程後であって前記水質分析工程前のサンプリング水の殺菌を行う殺菌工程と、
を備えたことを特徴とする水質監視方法。
【発明の詳細な説明】
【技術分野】
【０００１】
本発明は、水質監視システムおよび水質監視方法に関し、とりわけサンプリング水の水質の分析を安定的に行うことができる水質監視システムおよび水質監視方法に関する。
【背景技術】
【０００２】
近年、浄水場や下水処理場等の上下水道プラント、あるいは河川、湖沼、海域等の公共用水域において、飲料水や河川の水質の向上に関する要望が高まっており、ＢＯＤ、ＣＯＤ、ＴＯＣ等の有機汚濁物質、あるいは臭素イオンや塩素イオン等の無機イオン物質などの水質を連続的に監視する水質監視システムが求められている（例えば、特許文献１参照）。
【０００３】
従来の水質監視システムについて図７を用いて説明する。図７は、従来の水質監視システムの構成を示す説明図である。
図７に示すように、水質監視システムは、配管６を介してサンプリング原水１の採取を行うポンプ５と、ポンプ５により採取されたサンプリング水を予め前処理する前処理装置２と、前処理装置２の下流側に接続管７を介して設けられ、前処理されたサンプリング水の水質の分析を行うイオンクロマトグラフ３ａを有する水質分析装置３とを備えている。
【０００４】
次に、このような構成からなる従来の水質監視システムの作用について説明する。
まず、ポンプ５によりサンプリング原水１の採取を行い、前処理装置２にこの採取されたサンプリング水を送る。次に、前処理装置２により、サンプリング水に含まれる浮遊物質が除去されて当該サンプリング水の前処理が行われる。
その後、前処理が行われたサンプリング水は接続管７を介して水質分析装置３のイオンクロマトグラフ３ａに送られ、このイオンクロマトグラフ３ａによりサンプリング水に含まれる無機イオン物質の臭素イオン濃度や塩素イオン濃度等が測定される。
水質分析装置３により水質の分析が行われたサンプリング水はサンプリング廃液４として配管８から排出される。
【０００５】
【特許文献１】特開２００５−６６５３１号公報
【発明の開示】
【発明が解決しようとする課題】
【０００６】
図７に示す水質監視システムにおいては、サンプリング水に対して前処理装置２により前処理を行うことによって当該サンプリング水に含まれる浮游物質が除去されるが、前処理装置２の後段の接続管７内や水質分析装置３のイオンクロマトグラフ３ａ内で発生する微生物がサンプリング水に混入するおそれがある。
水質分析装置３がサンプリング水の水質の分析を行う際に、サンプリング水に微生物が少量でも混入している場合には、サンプリング水に含まれる有機物を基質（えさ）としてこの微生物が繁殖し、当該サンプリング水の分析を精度良く行うことができないという問題がある。そして、このような微生物が更に繁殖すると、水質分析装置３のイオンクロマトグラフ３ａ内の配管やカラム等を閉塞させ、水質分析装置３自体が異常停止してしまうというトラブルが発生するおそれがある。
【０００７】
本発明は、このような点を考慮してなされたものであり、水質分析装置によるサンプリング水の水質の分析精度を向上させることができ、また、微生物が水質分析装置内で繁殖してこの水質分析装置が異常停止してしまうというトラブルを防止することができる水質監視システムおよび水質監視方法を提供することを目的とする。
【課題を解決するための手段】
【０００８】
本発明は、サンプリング水を予め前処理する前処理装置と、前記前処理装置の下流側に配置され、当該前処理装置によって前処理されたサンプリング水の水質の分析を行う水質分析装置と、前記前処理装置と前記水質分析装置との間におけるサンプリング水、または前記水質分析装置内のサンプリング水の殺菌を行う殺菌装置と、を備えたことを特徴とする水質監視システムである。
また、本発明は、サンプリング水を予め前処理する前処理工程と、前記前処理工程において前処理されたサンプリング水の水質の分析を行う水質分析工程と、前記前処理工程後であって前記水質分析工程前のサンプリング水の殺菌を行う殺菌工程と、を備えたことを特徴とする水質監視方法である。
このような水質監視システムおよび水質監視方法によれば、前処理装置の下流側で微生物が発生し、この微生物がサンプリング水に混入した場合であっても、殺菌装置によるサンプリング水の殺菌により当該微生物を除去することができる。このため、水質分析装置によるサンプリング水の水質の分析精度を向上させることができ、また、前述の微生物が水質分析装置内で繁殖してこの水質分析装置が異常停止してしまうというトラブルを防止することができる。
【０００９】
本発明の水質監視システムにおいては、前記前処理装置と前記水質分析装置との間に設けられ、前記前処理装置からサンプリング水を前記水質分析装置に送る接続管を更に備え、前記殺菌装置は前記接続管の内部に配置され、この殺菌装置は当該接続管内のサンプリング水の殺菌を行うことが好ましい。
このような水質監視システムによれば、殺菌装置は接続管の内部に設けられているので、接続管内のサンプリング水を直接的に殺菌することができ、殺菌速度を向上させることができる。
【００１０】
本発明の水質監視システムにおいては、前記前処理装置と前記水質分析装置との間に設けられ、前記前処理装置からサンプリング水を前記水質分析装置に送る接続管を更に備え、前記殺菌装置は前記接続管の外部に配置され、この殺菌装置は当該接続管内のサンプリング水の殺菌を行うことが好ましい。
【００１１】
本発明の水質監視システムにおいては、前記殺菌装置は、サンプリング水に紫外線を照射する紫外線ランプを有することが好ましい。
このような水質監視システムによれば、紫外線ランプによりサンプリング水の紫外線殺菌を行うことができ、このことによりサンプリング水に含まれる微生物の除去をより確実に行うことができる。
【００１２】
本発明の水質監視システムにおいては、前記殺菌装置は、サンプリング水に超音波を照射する超音波発生器を有することが好ましい。
このような水質監視システムによれば、殺菌に超音波を用いることにより、サンプリング水が色度を帯びている場合であってもその影響を受けることなくサンプリング水の殺菌を確実に行うことができる。
【００１３】
本発明の水質監視システムにおいては、前記殺菌装置は、サンプリング水に光触媒を接触させる光触媒殺菌装置を有することが好ましい。
このような水質監視システムによれば、殺菌に光触媒を用いることにより、サンプリング水に微生物のみならず有機物が混入した場合であってもこの有機物を分解除去することができ、当該有機物が水質分析装置に与える影響を低減させることができる。
【００１４】
本発明の水質監視システムにおいては、前記水質分析装置により分析されたサンプリング水の水質の分析結果に基づいて前記殺菌装置の運転を制御する制御装置を更に備えたことが好ましい。
このような水質監視システムによれば、制御装置によって殺菌装置の運転を制御することにより、殺菌装置の運転状態を所望の運転状態に維持することができ、例えば水質分析装置による水質分析の精度が低下したときには殺菌装置によるサンプリング水の殺菌を促進させたり、水質分析装置のメンテナンスを行う場合には殺菌装置の運転を一時的に停止させてこの殺菌装置による人的被害を防止したりすることができる。
【発明の効果】
【００１５】
本発明の水質監視システムおよび水質監視方法によれば、前処理装置の下流側で微生物が発生し、この微生物がサンプリング水に混入した場合であっても、殺菌装置によるサンプリング水の殺菌により当該微生物を除去することができる。このため、水質分析装置によるサンプリング水の水質の分析精度を向上させることができ、また、前述の微生物が水質分析装置内で繁殖してこの水質分析装置が異常停止してしまうというトラブルを防止することができる。
【発明を実施するための最良の形態】
【００１６】
第１の実施の形態
以下、図面を参照して本発明の第１の実施の形態について説明する。図１は、本実施の形態の水質監視システムの構成を示す説明図である。
【００１７】
図１に示すように、水質監視システムは、サンプリング原水１の採取を行うポンプ５と、ポンプ５により採取されたサンプリング水を予め前処理する前処理装置２と、前処理装置２の下流側に接続管７を介して設けられ、前処理されたサンプリング水の水質の分析を行う水質分析装置３とを備えている。
この水質監視システムにおいては、図１に示すように、前処理装置２と水質分析装置３との間の接続管７内のサンプリング水の殺菌を行う殺菌装置１０が当該接続管７の外部に配置されている。
以下、このような水質監視システムの各構成要素について詳細に説明する。
【００１８】
ポンプ５は、配管６を介してサンプリング原水１の採取を行い、後段の前処理装置２にこの採取されたサンプリング水を送るようになっている。
前処理装置２は、例えば砂ろ過器、膜ろ過器もしくはストレーナ等から構成されており、採取されたサンプリング水の前処理を行うようになっている。ここで、前処理とは、サンプリング水に含まれる浮游物質を除去することをいう。
【００１９】
接続管７は、例えば透明のアクリルや塩化ビニル等の、光透過性を有する材料から構成されている。
水質分析装置３は、例えばイオンクロマトグラフ３ａから構成されており、サンプリング水に含まれる無機イオン物質の臭素イオン濃度や塩素イオン濃度等を測定するようになっている。
水質分析装置３の後段には配管８が接続されており、分析済みのサンプリング水がサンプリング廃液４として当該配管８から排出されるようになっている。
【００２０】
殺菌装置１０は例えば紫外線ランプ１０ａを有しており、紫外線１１を接続管７に向けて照射することにより接続管７内のサンプリング水の殺菌を行うようになっている。紫外線ランプ１０ａから照射される紫外線１１の波長は例えば２００ｎｍ〜３５０ｎｍとなっている。
【００２１】
次に、このような構成からなる本実施の形態の作用について説明する。
まず、ポンプ５によりサンプリング原水１の採取を行い、前処理装置２にこの採取されたサンプリング水を送る。次に、前処理装置２により、サンプリング水に含まれる浮遊物質が除去されて当該サンプリング水の前処理が行われる。
その後、前処理が行われたサンプリング水は接続管７を介して水質分析装置３のイオンクロマトグラフ３ａに送られ、このイオンクロマトグラフ３ａによりサンプリング水に含まれる無機イオン物質の臭素イオン濃度や塩素イオン濃度等が測定される。
水質分析装置３により水質の分析が行われたサンプリング水はサンプリング廃液４として配管８から排出される。
【００２２】
さらに、殺菌装置１０の紫外線ランプ１０ａが接続管７に向けて紫外線１１を照射し、この接続管７内のサンプリング水の殺菌を行っている。このため、前処理装置２の後段の接続管７内等で微生物が発生し、当該微生物がサンプリング水に混入した場合であっても、紫外線ランプ１０ａによって接続管７内のサンプリング水の紫外線殺菌を行うことにより、前述の微生物を除去することができる。
【００２３】
以上のように本実施の形態の水質監視システムおよび水質監視方法によれば、前処理装置２と水質分析装置３との間におけるサンプリング水の殺菌を行う殺菌装置１０が設けられているので、前処理装置２の後段の接続管７内等で微生物が発生し、この微生物がサンプリング水に混入した場合であっても、殺菌装置１０によるサンプリング水の殺菌により当該微生物を除去することができる。このため、水質分析装置３によるサンプリング水の水質の分析精度を向上させることができ、また、前述の微生物が水質分析装置３内で繁殖してこの水質分析装置３が異常停止してしまうというトラブルを防止することができる。
【００２４】
また、前処理装置２と水質分析装置３との間に、この前処理装置２からサンプリング水を水質分析装置３に送る接続管７が設けられ、殺菌装置１０は接続管７の外部に配置され、この殺菌装置１０は接続管７内のサンプリング水の殺菌を行うようになっているので、殺菌装置１０は接続管７内の微生物をより確実に殺菌して除去することができる。
【００２５】
また、殺菌装置１０は、サンプリング水に紫外線を照射する紫外線ランプ１０ａを有しているので、この紫外線ランプ１０ａによりサンプリング水の紫外線殺菌を行うことができ、このことによりサンプリング水に含まれる微生物の除去をより確実に行うことができる。
【００２６】
本実施の形態による水質監視システムは、上記の態様に限定されるものではなく、様々の変更を加えることができる。
例えば水質分析装置３はイオンクロマトグラフ３ａに限定されるものではなく、水質分析装置３として例えばガスクロ質量分析計（ＧＣ−ＭＳ）、液体クロマト質量分析計（ＬＣ−ＭＳ）、またはプラズマ発光分析計を用いてもよい。
また、本実施の形態による水質監視システムが上下水道プロセス水質監視機構として用いられる場合には、水質分析装置３として例えば濁度計、ＭＬＳＳ計、溶存酸素濃度計（ＤＯ計）、ＮＨ４計、ＮＯ２計、ＮＯ３計、ＰＯ４計、ＴＮ計、ＴＰ計、導電率計、残留塩素計、または油分計を用いてもよい。
【００２７】
第２の実施の形態
以下、図面を参照して本発明の第２の実施の形態について説明する。図２は、本実施の形態の水質監視システムの構成を示す説明図である。
【００２８】
図２に示す水質監視システムは、殺菌装置１０の紫外線ランプ１０ａが接続管７内のサンプリング水に紫外線を照射するのではなく水質分析装置３のイオンクロマトグラフ３ａ内のサンプリング水に紫外線を照射する点が異なるのみであり、他は実質的に図１に示す第１の実施の形態と同様の構成を有している。
図２に示す第２の実施の形態において、図１に示す第１の実施の形態と同一部分には同一符号を付して詳細な説明を省略する。
【００２９】
図２に示すように、殺菌装置１０の紫外線ランプ１０ａは、水質分析装置３のイオンクロマトグラフ３ａ内の光透過性の配管（図示せず）を照射することによりこの配管内のサンプリング水の殺菌を行うようになっている。
【００３０】
本実施の形態においては、接続管７は光透過性を有するものに限られず、紫外線等の光を通過させることのない材料から構成されていてもよい。
【００３１】
次に、このような構成からなる本実施の形態の作用について説明する。なお、前処理装置２による前処理工程、および水質分析装置３による水質分析工程は第１の実施の形態と略同一となっている。
【００３２】
水質分析装置３による水質分析工程において阻害となるべき微生物は、前処理装置２の後段の接続管７内のみならず水質分析装置３のイオンクロマトグラフ３ａの配管内でも発生しがちである。しかしながら、殺菌装置１０の紫外線ランプ１０ａが水質分析装置３のイオンクロマトグラフ３ａ内を照射し、このイオンクロマトグラフ３ａ内のサンプリング水の殺菌を行っている。このため、水質分析装置３のイオンクロマトグラフ３ａ内で微生物が発生し、当該微生物がサンプリング水に混入した場合であっても、紫外線ランプ１０ａがイオンクロマトグラフ３ａ内のサンプリング水の紫外線殺菌を行うことにより、前述の微生物を除去することができる。
【００３３】
以上のように本実施の形態の水質監視システムによれば、水質分析装置３内のサンプリング水の殺菌を行う殺菌装置１０が設けられているので、水質分析装置３内で微生物が発生し、この微生物がサンプリング水に混入した場合であっても、殺菌装置１０によるサンプリング水の殺菌により当該微生物を除去することができる。
【００３４】
第３の実施の形態
以下、図面を参照して本発明の第３の実施の形態について説明する。図３は、本実施の形態の水質監視システムの構成を示す説明図である。
【００３５】
図３に示す水質監視システムは、殺菌装置１２が接続管７の外部ではなく内部に設けられている点が異なるのみであり、他は実質的に図１に示す第１の実施の形態と同様の構成を有している。
図３に示す第３の実施の形態において、図１に示す第１の実施の形態と同一部分には同一符号を付して詳細な説明を省略する。
【００３６】
図３に示すように、殺菌装置１２の紫外線ランプ１２ａは接続管７の内壁に取り付けられており、この接続管７内のサンプリング水に紫外線を直接照射するようになっている。
【００３７】
本実施の形態においては、接続管７は光透過性を有さない材料から構成されている。このことにより、紫外線ランプ１２ａから照射された紫外線が接続管７の外部に漏れることを防止することができる。
【００３８】
次に、このような構成からなる本実施の形態の作用について説明する。なお、前処理装置２による前処理工程、および水質分析装置３による水質分析工程は第１の実施の形態と略同一となっている。
【００３９】
殺菌装置１２の紫外線ランプ１２ａは、接続管７内で紫外線をサンプリング水に照射し、この接続管７内のサンプリング水の殺菌を行っている。このため、前処理装置２の後段の接続管７内で微生物が発生し、当該微生物がサンプリング水に混入した場合であっても、紫外線ランプ１２ａが接続管７内のサンプリング水の紫外線殺菌を行うことにより、前述の微生物を除去することができる。
【００４０】
以上のように本実施の形態の水質監視システムによれば、殺菌装置１２は接続管７の内部に配置され、この殺菌装置１２は接続管７内のサンプリング水の殺菌を行うようになっているので、当該接続管７内等で微生物が発生し、この微生物がサンプリング水に混入した場合であっても、殺菌装置１０によるサンプリング水の殺菌により当該微生物を除去することができる。しかも、殺菌装置１２は接続管７の内部に設けられているので、接続管７内のサンプリング水を直接的に殺菌することができ、殺菌速度を向上させることができる。
【００４１】
第４の実施の形態
以下、図面を参照して本発明の第４の実施の形態について説明する。図４は、本実施の形態の水質監視システムの構成を示す説明図である。
【００４２】
図４に示す水質監視システムは、接続管７の内部に設けられた殺菌装置１２が紫外線ランプ１２ａではなく超音波発生器１２ｂを有する点が異なるのみであり、他は実質的に図３に示す第３の実施の形態と同様の構成を有している。
図４に示す第４の実施の形態において、図３に示す第３の実施の形態と同一部分には同一符号を付して詳細な説明を省略する。
【００４３】
図４に示すように、殺菌装置１２はサンプリング水に超音波を照射する超音波発生器１２ｂを有している。この超音波発生器１２ｂは接続管７の内壁に取り付けられており、当該接続管７内のサンプリング水に超音波を直接照射するようになっている。
【００４４】
次に、このような構成からなる本実施の形態の作用について説明する。なお、前処理装置２による前処理工程、および水質分析装置３による水質分析工程は第３の実施の形態と略同一となっている。
【００４５】
殺菌装置１２の超音波発生器１２ｂは、接続管７内で超音波をサンプリング水に照射し、この接続管７内のサンプリング水の殺菌を行っている。このため、前処理装置２の後段の接続管７内で微生物が発生し、当該微生物がサンプリング水に混入した場合であっても、超音波発生器１２ｂによって接続管７内のサンプリング水の殺菌を行うことにより、前述の微生物を除去することができる。
【００４６】
以上のように本実施の形態の水質監視システムによれば、殺菌装置１２はサンプリング水に超音波を照射する超音波発生器１２ｂを有しているので、殺菌に超音波を用いることにより、サンプリング水が色度を帯びている場合であってもその影響を受けることなくサンプリング水の殺菌を確実に行うことができる。
【００４７】
第５の実施の形態
以下、図面を参照して本発明の第５の実施の形態について説明する。図５は、本実施の形態の水質監視システムの構成を示す説明図である。
【００４８】
図５に示す水質監視システムは、接続管７の内部に設けられた殺菌装置１２が紫外線ランプ１２ａではなく光触媒殺菌装置１２ｃを有する点が異なるのみであり、他は実質的に図３に示す第３の実施の形態と同様の構成を有している。
図５に示す第５の実施の形態において、図３に示す第３の実施の形態と同一部分には同一符号を付して詳細な説明を省略する。
【００４９】
図５に示すように、殺菌装置１２はサンプリング水に光触媒を接触させる光触媒殺菌装置１２ｃを有している。この光触媒殺菌装置１２ｃは接続管７の内壁に取り付けられており、当該接続管７内のサンプリング水に光触媒を直接接触させるようになっている。
【００５０】
次に、このような構成からなる本実施の形態の作用について説明する。なお、前処理装置２による前処理工程、および水質分析装置３による水質分析工程は第３の実施の形態と略同一となっている。
【００５１】
殺菌装置１２の光触媒殺菌装置１２ｃは、接続管７内でサンプリング水に光触媒を接触させ、この接続管７内のサンプリング水の殺菌を行っている。このため、前処理装置２の後段の接続管７内で微生物が発生し、当該微生物がサンプリング水に混入した場合であっても、光触媒殺菌装置１２ｃによって接続管７内のサンプリング水の殺菌を行うことにより、前述の微生物を除去することができる。
【００５２】
以上のように本実施の形態の水質監視システムによれば、殺菌装置１２はサンプリング水に光触媒を接触させる光触媒殺菌装置１２ｃを有しているので、殺菌に光触媒を用いることにより、サンプリング水に微生物のみならず有機物が混入した場合であってもこの有機物を分解除去することができ、当該有機物が水質分析装置３に与える影響を低減させることができる。
【００５３】
第６の実施の形態
以下、図面を参照して本発明の第６の実施の形態について説明する。図６は、本実施の形態の水質監視システムの構成を示す説明図である。
【００５４】
図６に示す水質監視システムは、殺菌装置の運転の制御を行う制御装置を更に設けた点が異なるのみであり、他は実質的に図２に示す第２の実施の形態と同様の構成を有している。
図６に示す第６の実施の形態において、図２に示す第２の実施の形態と同一部分には同一符号を付して詳細な説明を省略する。
【００５５】
図６に示すように、本実施の形態の水質監視システムには、殺菌装置１０の紫外線ランプ１０ａの運転の制御を行う制御装置１４が設置されている。この制御装置１４は水質分析装置３のイオンクロマトグラフ３ａにも電気的に接続されており、当該イオンクロマトグラフ３ａによる分析結果の信号が送られるようになっている。
【００５６】
次に、このような構成からなる本実施の形態の作用について説明する。なお、前処理装置２による前処理工程、および水質分析装置３による水質分析工程、殺菌装置１０による殺菌工程は第２の実施の形態と略同一となっている。
【００５７】
水質分析装置３のイオンクロマトグラフ３ａによる分析結果の信号は制御装置１４に送られ、この制御装置１４はこのサンプリング水の分析結果に基づいて殺菌装置１０の制御値を算出する。殺菌装置１０の制御値とは、例えば殺菌装置１０の紫外線ランプ１０ａのＯＮ／ＯＦＦ状態や運転台数（紫外線ランプ１０ａが複数である場合）、あるいは紫外線の出力強度のことをいう。そしてこの算出された制御値に係る信号が制御装置１４から殺菌装置１０に送られ、殺菌装置１０の運転が制御される。
【００５８】
以上のように本実施の形態の水質監視システムによれば、水質分析装置３により分析されたサンプリング水の水質の分析結果に基づいて殺菌装置１０の運転を制御する制御装置１４が更に設けられているので、殺菌装置１０の運転状態を所望の運転状態に維持することができ、例えば水質分析装置３による水質分析の精度が低下したときには殺菌装置１０によるサンプリング水の殺菌を促進させたり、水質分析装置３のメンテナンスを行う場合には殺菌装置１０の運転を一時的に停止させてこの殺菌装置１０による人的被害を防止したりすることができる。
【００５９】
本実施の形態による水質監視システムは、上記の態様に限定されるものではなく、様々の変更を加えることができる。
例えば制御装置１４における制御方法はサンプリング水の水質の分析結果に基づいて殺菌装置１０の運転を制御する方法に限定されるものでなく、水質監視システムの他の運転状況、例えばサンプリング原水１を採取するポンプ５の流量等に基づいて殺菌装置１０の運転を制御する方法となっていてもよい。
【図面の簡単な説明】
【００６０】
【図１】第１の実施の形態の水質監視システムの構成を示す説明図である。
【図２】第２の実施の形態の水質監視システムの構成を示す説明図である。
【図３】第３の実施の形態の水質監視システムの構成を示す説明図である。
【図４】第４の実施の形態の水質監視システムの構成を示す説明図である。
【図５】第５の実施の形態の水質監視システムの構成を示す説明図である。
【図６】第６の実施の形態の水質監視システムの構成を示す説明図である。
【図７】従来の水質監視システムの構成を示す説明図である。
【符号の説明】
【００６１】
１    サンプリング原水
２    前処理装置
３    水質分析装置
３ａ  イオンクロマトグラフ
４    サンプリング廃液
５    ポンプ
６    配管
７    接続管
８    配管
１０  殺菌装置
１０ａ  紫外線照射ランプ
１１  紫外線
１２  殺菌装置
１２ａ  紫外線照射ランプ
１２ｂ  超音波発生器
１２ｃ  光触媒殺菌装置
１４  制御装置
【図１】
2006317245.tif 000003
【図２】
2006317245.tif 000004
【図３】
2006317245.tif 000005
【図４】
2006317245.tif 000006
【図５】
2006317245.tif 000007
【図６】
2006317245.tif 000008
【図７】
2006317245.tif 000009